(57)【特許請求の範囲】
【請求項１】
（ａ）ハウジング内部空間を規定する周囲壁、入口及び出口を含むハウジング構造を備え、
（ｂ）前記ハウジング内部空間に配置された多孔質の管状支持部材を備え、前記支持部材は内部容積を有し、
（ｃ）前記支持部材の前記内部容積の中で取り外し可能且つ交換可能に配向されたフィルタ要素を備え、前記フィルタ要素は、媒体内部空間を規定する管状媒体パックを含み、前記媒体パックは、閉じた端部キャップ及び開放した端部キャップに固定され、前記フィルタ要素はシール部材を含み、
（ｉ）前記フィルタ要素は、前記ハウジング入口から前記媒体内部空間の中まで未濾過液体を受け入れ、前記媒体パックを通し、更に前記支持部材を通して前記支持部材の前記内部容積の外側の濾過済み液体容積まで前記未濾過液体を流し、その後、前記ハウジング出口を通して前記未濾過液体を流すように、前記ハウジング構造に対して配置され、
（ｄ）少なくとも一部の未濾過液体に前記媒体パックを迂回させ、前記支持部材の外側の前記濾過済み液体容積の中に前記少なくとも一部の未濾過液体を流入させるように構成され且つ配置されたバイパス弁構造を備え、
前記バイパス弁構造は、
（ｉ）前記支持部材に装着された付勢部材座を含み、
（ｉｉ）前記付勢部材座により動作可能に保持された付勢部材を含み、
（ｉｉｉ）前記付勢部材座の中に設けられ、前記付勢部材と係合する弁頭を含み、
（Ａ）前記弁頭は密封面を有し、前記フィルタ要素のシール部材は前記密封面に当接して密封され、
（ｉｖ）前記ハウジング構造に固定された弁座とを含み、
前記弁座は、
（Ａ）前記弁頭が前記弁座との密封係合を解除するように動かされた場合に、バイパス開口部が未濾過液体を前記濾過済み液体容積の中に流入させ、
（Ｂ）前記弁頭が前記弁座と密封係合している場合に、前記バイパス開口部が閉鎖されて、未濾過液体が前記媒体パックを迂回するのを阻止するように、前記弁頭と離脱可能に密封係合していることを特徴とする液体フィルタアセンブリ。
【請求項２】
（ａ）ハウジング内部空間を規定する周囲壁、入口及び出口を含むハウジング構造を備え、
（ｂ）前記ハウジング内部空間に配置された多孔質の管状支持部材を備え、前記支持部材は内部容積を有し、
（ｃ）前記支持部材の前記内部容積の中で取り外し可能且つ交換可能に配向されたフィルタ要素を備え、前記フィルタ要素は、媒体内部空間を規定する管状媒体パックを含み、前記媒体パックは、閉じた端部キャップ及び開放した端部キャップに固定され、
（ｉ）前記フィルタ要素は、前記支持部材に当接してシールを形成するシール部材を含み、
（ｉｉ）前記フィルタ要素は、前記ハウジング入口から前記媒体内部空間の中まで未濾過液体を受け入れ、前記媒体パックを通し、更に前記支持部材を通して前記支持部材の前記内部容積の外側の濾過済み液体容積まで前記未濾過液体を流し、その後、前記ハウジング出口を通して前記未濾過液体を流すように、前記ハウジング構造に対して配置され、
（ｄ）少なくとも一部の未濾過液体に前記媒体パックを迂回させ、前記支持部材の外側の前記濾過済み液体容積の中に前記少なくとも一部の未濾過液体を流入させるように構成され且つ配置されたバイパス弁構造を備え、
前記バイパス弁構造は、
（ｉ）前記ハウジング構造に装着された付勢部材座と、
（ｉｉ）前記付勢部材座により動作可能に保持された付勢部材と、
（ｉｉｉ）前記付勢部材座の中にあり、前記付勢部材と係合する弁頭と、
（ｉｖ）前記支持部材に固定された弁座とを含み、
前記弁座は、
（Ａ）前記弁頭が前記弁座との密封係合を解除するように動かされた場合に、バイパス開口部が未濾過液体を前記濾過済み液体容積の中に流入させ、
（Ｂ）前記弁頭が前記弁座と密封係合している場合に、前記バイパス開口部が閉鎖されて、未濾過液体が前記媒体パックを迂回するのを阻止するように、前記弁頭と離脱可能に密封係合していることを特徴とする液体フィルタアセンブリ。
【発明の詳細な説明】
【技術分野】
【０００１】
本発明は、作動油を含む油などの液体を濾過するためのフィルタアセンブリ、構成要素、例えばフィルタ要素、及び方法に関する。
【背景技術】
【０００２】
タンク内フィルタシステムは、関連する液体の貯蔵タンクに取り付けられるように構成されたフィルタアセンブリを含む。通常、アセンブリは、液体流れをタンクに供給するか又はタンクから液体を取り出すかの少なくとも一方である。それらのシステムで使用されるフィルタアセンブリの中には複雑なものもある。
【発明の概要】
【０００３】
本発明の目的は、特に、複雑であるという従来のシステムの問題を解決することにより、改善されたフィルタアセンブリ、フィルタ要素及び濾過方法を提供することである。
【０００４】
上記の目的は、独立請求項により解決される。
【０００５】
以下に、本発明の好適な実施形態を説明する。好適な一実施形態において、液体フィルタアセンブリが提供される。アセンブリは、ハウジング内部空間を規定する周囲壁、入口及び出口を含むハウジング構造と、ハウジング内部空間の中で動作可能に配向され、内部容積を有する多孔質の管状支持部材と、支持部材の内部容積の中で取り外し可能且つ交換可能に配向されたフィルタ要素とを含むことができる。
【０００６】
別の好適な実施形態において、フィルタ要素は、媒体内部空間を規定する管状媒体パックを含むことができ、媒体パックは、閉じた端部キャップ及び開放した端部キャップに固定されることが可能であり、フィルタ要素は、ハウジング入口から媒体内部空間の中まで未濾過液体を受け入れ、次に媒体パックを通し、更に支持部材を通して支持部材の内部容積の外側の濾過済み液体容積まで未濾過液体を流し、その後ハウジングの出口を通して未濾過液体を流すように、ハウジング構造に対して配置される。
【０００７】
別の好適な実施形態において、バイパス弁構造を設けることができる。バイパス弁構造は、少なくとも一部の未濾過液体に媒体パックを迂回させ、支持部材の外側の濾過済み液体容積の中にその未濾過液体を流入させるように構成され且つ配置されることが可能であり、バイパス弁構造は、弁頭及び弁座を含むことができ、弁頭が弁座との密封係合を解除するように動かされた場合に、バイパス開口部は、未濾過液体を濾過済み液体容積の中に流入させ、弁頭が弁座と密封係合している場合に、バイパス開口部は閉鎖されて、未濾過液体が媒体パックを迂回するのを阻止する。
【０００８】
別の好適な実施形態において、ダイナミックシールを設けることができる。ダイナミックシールは、弁頭が密封係合および密封係合を解除するように動かされる場合に、係合している。
【０００９】
別の好適な実施形態において、バイパス弁構造は、支持部材に装着された付勢部材座と、付勢部材座により動作可能に保持された付勢部材とを含むことができる。弁頭は付勢部材座の中にあり、付勢部材と係合することができ、弁座はハウジング構造に固定され、弁頭と離脱可能に密封係合することができる。
【００１０】
別の好適な実施形態において、ダイナミックシールは、フィルタ要素により保持されたシール部材を含むことができる。
【００１１】
別の好適な実施形態において、シール部材は、開放した端部キャップにより保持されたＯリングシール部材であり、弁頭の密封面に当接して動的に密封されてもよい。
【００１２】
別の好適な実施形態において、ダイナミックシールは、弁頭により保持されたシール部材を含んでもよい。
【００１３】
別の好適な実施形態において、付勢部材座は外側管及び内側管を含むことができ、外側管は、弁頭の少なくとも一部を取り囲み且つ半径方向に離間して配置される。
【００１４】
別の好適な実施形態において、付勢部材は、付勢部材座の外側管の内側と弁頭の外側との間で配向されてもよい。
【００１５】
別の好適な実施形態において、弁頭は段付きリングを含むことができ、段付きリングの内面は、ダイナミックシールを保持し、付勢部材座の内側管と動的密封係合を形成する。
【００１６】
別の好適な実施形態において、媒体パックは、閉じた端部キャップと開放した端部キャップとの間に延設されることが可能である。
【００１７】
別の好適な実施形態において、ハウジング構造は、ハウジング内部空間に対するアクセスを可能にするために取り外し可能なカバーを含むことができる。
【００１８】
別の好適な実施形態において、付勢部材はウェーブスプリングを備えることができる。
【００１９】
別の好適な実施形態において、閉じた端部キャップは、外側部分及び反対側の内側部分を含んでもよく、内側部分は媒体内部空間と連通し、閉じた端部キャップの外側部分は、フィルタ要素の残る部分から媒体パックの第２の端部を越えて延出する膨出部を有する。
【００２０】
別の好適な実施形態において、支持部材は強固(rigid)であることが可能である。
【００２１】
別の好適な実施形態において、液体フィルタアセンブリは、ハウジング内部空間を規定する周囲壁、入口及び出口を含むハウジング構造を含むことができる。
【００２２】
別の好適な実施形態において、多孔質の管状支持部材は、ハウジング内部空間の中で動作可能に配向されることが可能であり、支持部材は内部容積を有する。
【００２３】
別の好適な実施形態において、フィルタ要素は、支持部材の内部容積の中で取り外し可能且つ交換可能に配向されることが可能である。フィルタ要素は、媒体内部空間を規定する管状媒体パックを含んでもよく、媒体パックは、閉じた端部キャップ及び開放した端部キャップに固定される。フィルタ要素はシール部材を含むことができる。フィルタ要素は、ハウジング入口から媒体内部空間の中まで未濾過液体を受け入れ、次に媒体パックを通し、更に支持部材を通して、支持部材の内部容積の外側の濾過済み液体容積まで未濾過液体を流し、その後ハウジングの出口を通して未濾過液体を流すように、ハウジング構造に対して配置されることが可能である。
【００２４】
別の好適な実施形態において、バイパス弁構造は、少なくとも一部の未濾過液体に媒体パックを迂回させ、支持部材の外側の濾過済み液体容積の中にその未濾過液体を流入させるように構成され且つ配置されることが可能である。バイパス弁構造は、支持部材に装着された付勢部材座と、付勢部材座により動作可能に保持された付勢部材と、付勢部材座の中にあり、付勢部材と係合する弁頭と、ハウジング構造に固定された弁座とを含むことができ、弁座は、弁頭が弁座との密封係合を解除するように動かされた場合に、そのバイパス開口部が未濾過液体を濾過済み液体容積の中に流入させ、弁頭が弁座と密封係合している場合に、バイパス開口部が閉鎖されて、未濾過液体が媒体パックを迂回するのを阻止するように、弁頭と離脱可能に密封係合している。
【００２５】
別の好適な実施形態において、弁頭は密封面を有することができる。フィルタ要素シール部材は密封面に当接して密封されることが可能である。
【００２６】
別の好適な実施形態において、液体フィルタアセンブリは、支持部材に当接してシールを形成するシール部材を含むフィルタ部材を更に含むことができる。
【００２７】
別の好適な実施形態において、バイパス弁構造は、ハウジング構造に装着された付勢部材座と、付勢部材座により動作可能に保持された付勢部材と、付勢部材座の中にあり、付勢部材と係合する弁頭と、支持部材に固定された弁座とを含むことができ、弁座は、弁頭が弁座との密封係合を解除するように動かされた場合に、そのバイパス開口部が未濾過液体を濾過済み液体容積の中に流入させ、弁頭が弁座と密封係合している場合に、バイパス開口部が閉鎖されて、未濾過液体が媒体パックを迂回するのを阻止するように、弁頭と離脱可能に密封係合している。
【００２８】
別の好適な実施形態において、媒体パックは、閉じた端部キャップと開放した端部キャップとの間に延設することが可能である。
【００２９】
別の好適な実施形態において、フィルタ要素シール部材は、開放した端部キャップにより保持されたＯリングシール部材であってもよい。
【００３０】
別の好適な実施形態において、バイパス弁シール部材は、弁座により動作可能に保持されることが可能である。
【００３１】
別の好適な実施形態において、弁頭は段付きリングを含むことができる。
【００３２】
別の好適な実施形態において、弁頭は、軸方向端部を有する段付きリングを含むことができる。軸方向端部は、バイパス開口部が閉鎖された場合にバイパスシール部材と密封係合していることが可能である。軸方向端部は、バイパス開口部が開放された場合にバイパスシール部材から離間されることが可能である。
【００３３】
別の好適な実施形態において、ハウジング構造は、ハウジング内部空間に対するアクセスを可能にするために取り外し可能なカバーを含むことができる。
【００３４】
別の好適な実施形態において、付勢部材座は、フィルタ要素の少なくとも一部及び弁頭を取り囲み且つ半径方向に離間して配置された管を含んでもよい。
【００３５】
別の好適な実施形態において、付勢部材は、付勢部材座の管の内側と弁頭の外側との間で配向されることが可能である。
【００３６】
別の好適な実施形態において、弁頭は段付きリングを備えることができ、段付きリングの内面は密封面を形成する。
【００３７】
別の好適な実施形態において、フィルタ要素シール部材は、開放した端部キャップにより保持され且つ弁頭の密封面に当接して密封されたＯリングシール部材であることが可能である。
【００３８】
別の好適な実施形態において、付勢部材は、段付きリングの段と係合することが可能である。
【００３９】
別の好適な実施形態において、段付きリングは軸方向端部を有することができる。軸方向端部は、バイパス開口部が閉鎖された場合に弁座と密封係合していることが可能である。軸方向端部は、バイパス開口部が開放された場合に弁座から離間されることが可能である。
【００４０】
別の好適な実施形態において、バイパス弁シール部材は、弁座により動作可能に保持されることが可能である。段付きリングの軸方向端部は、バイパス開口部を閉鎖するためにバイパス弁シール部材と係合するように動き、バイパス開口部を開放するためにバイパス弁シール部材との係合を解除するように動くことができる。
【００４１】
別の好適な実施形態において、ハウジング周囲壁は、内側へ延出する棚状部分を有することができる。
【００４２】
別の好適な実施形態において、弁座は、内側へ延出する棚状部分でハウジングに固定されることが可能である。
【００４３】
別の好適な実施形態において、付勢部材座は外側管及び内側管を備えることができる。外側管は、弁頭の少なくとも一部を取り囲み且つ半径方向に離間して配置されることが可能である。
【００４４】
別の好適な実施形態において、付勢部材は、付勢部材座の外側管の内側と弁頭の外側との間で配向されることが可能である。
【００４５】
別の好適な実施形態において、弁頭は段付きリングを備えることができる。段付きリングの内面は、付勢部材座の内側管と密封係合していることが可能である。
【００４６】
別の好適な実施形態において、付勢部材は、リングの段と係合することが可能である。
【００４７】
別の好適な実施形態において、弁座は、支持管の少なくとも一部を取り囲む帯部分を含むことができる。
【００４８】
別の好適な実施形態において、ハウジング周囲壁は、内側へ延出する棚状部分を有することができ、付勢部材座は、棚状部分でハウジングに固定されることが可能である。
【００４９】
別の好適な実施形態において、媒体パックは、要素のＯリングシール部材の外径より小さい外径を有することができる。
【００５０】
別の好適な実施形態において、媒体パックは、要素のＯリングシール部材の内径より大きい外径を有することができる。
【００５１】
別の好適な実施形態において、媒体パックは、要素のＯリングシール部材の外径より小さく且つ要素のＯリングシール部材の内径より大きい外径を有することができる。
【００５２】
別の好適な実施形態において、濾過の方法は、ハウジング内部空間を規定する周囲壁、入口及び出口を含むハウジング構造を設けることを含むことができる。強固な多孔質管状支持部材は、ハウジング内部空間の中で動作可能に配向されることが可能である。支持部材は内部容積を有することができる。フィルタ要素は、支持部材の内部容積の中で取り外し可能且つ交換可能に配向されることが可能である。フィルタ要素は、媒体内部空間を規定する管状媒体パックを含むことができる。媒体パックは、閉じた端部キャップ及び開放した端部キャップに固定されることが可能である。フィルタ要素はシール部材を含むことができる。
【００５３】
別の好適な実施形態において、方法は、未濾過液体をハウジング入口の中及び媒体内部空間の中へ誘導することを含むことができる。
【００５４】
別の好適な実施形態において、方法は、媒体パックを通し、次に支持部材を通して支持部材の内部容積の外側の濾過済み液体容積まで未濾過液体を誘導し、その後ハウジング出口を通して未濾過液体を誘導することにより、未濾過液体を濾過することを含むことができる。
【００５５】
別の好適な実施形態において、方法は、媒体パックを横切る制限(restricgtion)が所定のレベルに達した場合にバイパス弁構造を開放することを含むことができる。バイパス弁構造を開放する過程により、少なくとも一部の未濾過流体は媒体パックを迂回して、支持部材の外側の濾過済み液体容積の中に流入できる。
【００５６】
別の好適な実施形態において、バイパス弁構造は、方法の中で、付勢部材座、付勢部材座により動作可能に保持された付勢部材、付勢部材座の中にあり、付勢部材と係合する弁頭、及び弁座を含むことができ、弁座は、媒体パックを横切る制限が所定のレベルに達した場合に、弁頭が弁座との密封係合を解除するように動かされ、バイパス開口部を開放して、未濾過液体を濾過済み液体容積の中に流入させるように、弁頭と離脱可能に密封係合している。
【００５７】
別の好適な実施形態において、方法の中で、付勢部材座は支持部材に装着されることが可能である。
【００５８】
別の好適な実施形態において、方法の中で、付勢部材座はハウジング構造に装着されることが可能である。
【００５９】
別の好適な実施形態において、方法の中で、弁頭は密封面を有することができ、フィルタ要素のシール部材は、密封面に当接して密封されることが可能である。
【００６０】
別の好適な実施形態において、方法の中で、フィルタ要素は、支持部材に当接してシールを形成するシール部材を含むことができる。
【００６１】
別の好適な実施形態において、方法の中で、弁座はハウジング構造に固定されることが可能である。
【００６２】
別の好適な実施形態において、方法の中で、弁座は支持部材に固定されることが可能である。
【００６３】
別の好適な実施形態において、媒体内部空間を規定し、両側に第１の端部及び第２の端部を有する管状媒体パック、第２の端部で媒体パックに固定された開放した端部キャップ、第２の端部で媒体パックに固定された閉じた端部キャップ、及び開放した端部キャップにより支持されたシール部材を備えるフィルタ要素が提供され、シール部材は、フィルタ要素がアセンブリの中に動作可能に設置された場合に、アセンブリの一部を動的に密封するように構成される。
【００６４】
別の好適な実施形態において、シール部材はＯリングシール部材であってもよい。
【００６５】
別の好適な実施形態において、媒体パックは、Ｏリングシール部材の外径より小さいことが可能な外径を有する。
【００６６】
別の好適な実施形態において、媒体パックは、Ｏリングシール部材の内径より大きいことが可能な外径を有する。
【００６７】
別の好適な実施形態において、閉じた端部キャップは、外側部分及び反対側の内側部分を含むことができ、内側部分は媒体内部空間と連通し、閉じた端部キャップの外側部分は、フィルタ要素の残る部分から媒体パックの第２の端部を越えて延出する膨出部を有してもよい。
【００６８】
別の好適な実施形態において、閉じた端部キャップの内側部分は、凹形容器を規定することができる。
【００６９】
別の好適な実施形態において、液体フィルタアセンブリは、
（ａ）入口を含むヘッド構造を備え、
（ｂ）前記ヘッド構造により直接又は間接的に支持された多孔質の管状支持部材を備え、前記支持部材は内部容積を有し、
（ｃ）前記支持部材の前記内部容積の中で取り外し可能且つ交換可能に配向されたフィルタ要素を備え、前記フィルタ要素は、媒体内部空間を規定する管状媒体パックを含み、前記媒体パックは、閉じた端部キャップ及び開放した端部キャップに固定され、前記フィルタ要素はシール部材を含み、
（ｉ）前記フィルタ要素は、前記ヘッド入口から前記媒体内部空間の中まで未濾過液体を受け入れ、次に前記媒体パックを通し、更に前記支持部材を通して前記支持部材の前記内部容積の外側の濾過済み液体容積まで前記未濾過液体を流すように、前記ヘッド構造に対して配置され、
（ｄ）前記媒体内部空間の中の圧力が所定の閾値を超えるのに応答して、少なくとも一部の未濾過液体に前記媒体パックを迂回させ、前記支持部材の外側の前記濾過済み液体容積の中に前記少なくとも一部の未濾過液体を流入させるように構成され且つ配置されたバイパス弁構造を備え、前記バイパス弁構造は、
（ｉ）前記入口と前記フィルタ要素との間に配設された付勢部材座と、
（ｉｉ）前記付勢部材座により直接又は間接的に支持された付勢部材と、
（ｉｉｉ）前記付勢部材と係合する弁頭と、
（Ａ）前記弁頭は密封面を有し、前記フィルタ要素のシール部材は、前記密封面に当接して密封され、
（ｉｖ）前記ヘッド構造に固定された弁座とを含み、前記弁座は、
（Ａ）前記弁頭が前記弁座との密封係合を解除するように動かされた場合に、バイパス開口部が未濾過液体を前記濾過済み液体容積の中に流入させ、
（Ｂ）前記弁頭が前記弁座と密封係合している場合に、前記バイパス開口部が閉鎖されて、未濾過液体が前記媒体パックを迂回するのを阻止するように、前記弁頭と離脱可能に密封係合している。
【００７０】
別の好適な実施形態において、液体フィルタアセンブリは、
（ａ）入口を含むヘッド構造を備え、
（ｂ）前記ヘッド構造により直接又は間接的に支持された多孔質の管状支持部材を備え、前記支持部材は内部容積を有し、
（ｃ）前記支持部材の前記内部容積の中で取り外し可能且つ交換可能に配向されたフィルタ要素を備え、前記フィルタ要素は、媒体内部空間を規定する管状媒体パックを含み、前記媒体パックは、閉じた端部キャップ及び開放した端部キャップに固定され、
（ｉ）前記フィルタ要素は、前記支持部材に当接してシールを形成するシール部材を含み、
（ｉｉ）前記フィルタ要素は、前記ヘッド入口から前記媒体内部空間の中まで未濾過液体を受け入れ、次に、前記媒体パックを通し、更に前記支持部材を通して前記支持部材の前記内部容積の外側の濾過済み液体容積まで前記未濾過液体を流すように、前記ヘッド構造に対して配置され、
（ｄ）前記媒体内部空間の中の圧力が所定の閾値を超えるのに応答して、少なくとも一部の未濾過液体に前記媒体パックを迂回させ、前記支持部材の外側の前記濾過済み液体容積の中に前記少なくとも一部の未濾過液体を流入させるように構成され且つ配置されたバイパス弁構造を備え、前記バイパス弁構造は、
（ｉ）前記入口と前記フィルタ要素との間に配設された付勢部材座と、
（ｉｉ）前記付勢部材座により直接又は間接的に支持された付勢部材と、
（ｉｉｉ）前記付勢部材と係合する弁頭と、
（ｉｖ）前記支持部材に固定された弁座とを含み、前記弁座は、
（Ａ）前記弁頭が前記弁座との密封係合を解除するように動かされた場合に、バイパス開口部が前記濾過済み液体容積の中に未濾過液体を流入させ、
（Ｂ）前記弁頭が前記弁座と密封係合している場合に、前記バイパス開口部が閉鎖されて、未濾過液体が前記媒体パックを迂回するのを阻止するように、前記弁頭と離脱可能に密封係合している。
【００７１】
別の好適な実施形態において、媒体パックは、閉じた端部キャップと開放した端部キャップとの間に延設される。
【００７２】
別の好適な実施形態において、フィルタ要素シール部材は、開放した端部キャップにより保持されたＯリングシール部材である。
【００７３】
別の好適な実施形態において、弁座により動作可能に保持されたバイパス弁シール部材。
【００７４】
別の好適な実施形態において、弁頭は段付きリングを含む。
【００７５】
別の好適な実施形態において、弁頭は、軸方向端部を有する段付きリングを含み、軸方向端部は、バイパス開口部が閉鎖された場合にバイパスシール部材と密封係合し、軸方向端部は、バイパス開口部が開放された場合にバイパスシール部材から離間される。
【００７６】
別の好適な実施形態において、ヘッド構造は取り外し可能なカバーを含む。
【００７７】
別の好適な実施形態において、付勢部材座は、フィルタ要素の少なくとも一部及び弁頭を取り囲み且つ半径方向に離間して配置された管を備える。
【００７８】
別の好適な実施形態において、付勢部材は、付勢部材座の管の内側と弁頭の外側との間で配向される。
【００７９】
別の好適な実施形態において、弁頭は段付きリングを備え、段付きリングの内面は密封面を形成する。
【００８０】
別の好適な実施形態において、フィルタ要素シール部材は、開放した端部キャップにより保持され且つ弁頭の密封面に当接して密封されたＯリングシール部材である。
【００８１】
別の好適な実施形態において、付勢部材は、リングの段と係合する。
【００８２】
別の好適な実施形態において、段付きリングは軸方向端部を有し、軸方向端部は、バイパス開口部が閉鎖された場合に弁座と密封係合し、軸方向端部は、バイパス開口部が開放された場合に弁座から離間される。
【００８３】
別の好適な実施形態において、弁座により動作可能に保持されたバイパス弁シール部材、段付きリングの軸方向端部は、バイパス開口部を閉鎖するためにバイパス弁シール部材と係合するように動き、バイパス開口部を開放するためにバイパス弁シール部材との係合を解除するように動く。
【００８４】
別の好適な実施形態において、付勢部材座は外側管及び内側管を備え、外側管は弁頭の少なくとも一部を取り囲み且つ半径方向に離間して配置される。
【００８５】
別の好適な実施形態において、付勢部材は付勢部材座の外側管の内側と弁頭の外側との間で配向される。
【００８６】
別の好適な実施形態において、弁頭は段付きリングを備え、段付きリングの内面は、付勢部材座の内側管と密封係合を形成する。
【００８７】
別の好適な実施形態において、付勢部材はリングの段と係合する。
【００８８】
別の好適な実施形態において、段付きリングは軸方向端部を有し、軸方向端部はバイパス開口部が閉鎖された場合に弁座と密封係合し、軸方向端部はバイパス開口部が開放された場合に弁座から離間される。
【００８９】
別の好適な実施形態において、弁座により動作可能に保持されたバイパス弁シール部材、段付きリングの軸方向端部は、バイパス開口部を閉鎖するためにバイパス弁シール部材と係合するように動き、バイパス開口部を開放するためにバイパス弁シール部材との係合を解除するように動く。
【００９０】
別の好適な実施形態において、弁座は、支持部材の少なくとも一部を取り囲む帯部分を含む。
【００９１】
別の好適な実施形態において、付勢部材はウェーブスプリングを備える。
【００９２】
別の好適な実施形態において、閉じた端部キャップは外側部分及び反対側の内側部分を含み、内側部分は媒体内部空間と連通し、閉じた端部キャップの外側部分はフィルタ要素の残る部分から媒体パックの第２の端部を越えて延出する膨出部を有する。
【００９３】
所望の製品特徴又は方法の多様な例の一部は、以下の説明の中に記載され、一部は、以下の説明から明らかになるか又は本発明の開示の多様な態様を実施することにより学習されてもよい。本発明の開示の態様は、個別の特徴並びに特徴の組み合わせに関してもよい。以上の全般的な説明及び以下の詳細な説明は共に単なる説明であり、特許請求される発明を限定しないことを理解すべきである。
【図面の簡単な説明】
【００９４】
【図１】図１は、本発明の原理に従って構成された動作可能に設置されたフィルタ要素を有する液体フィルタアセンブリの一部を示す横断面図である。
【図２】図２は、図１のフィルタアセンブリの一部を示す展開斜視図である。
【図３】図３は、閉鎖位置にあるバイパス弁を示す図１のフィルタアセンブリの一部の拡大横断面図である。
【図４】図４は、図３に類似するが、開放位置にあるバイパス弁を示す図である。
【図５】図５は、本発明の原理に従って構成されたフィルタアセンブリの一部を示す横断面図である。
【図６】図６は、図５のフィルタアセンブリの一部を示す展開斜視図である。
【図７】図７は、閉鎖位置にあるバイパス弁を示す図５のフィルタアセンブリの一部を示す拡大横断面図である。
【図８】図８は、図７に類似するが、開放位置にあるバイパス弁を示す図である。
【図９】図９は、内部が見えるようにタンクの一部を取り除いたタンク内の図１の液体フィルタアセンブリを示す概略展開斜視図である。
【図１０】図１０は、タンクの外側から見た図９の液体フィルタアセンブリを示す概略展開斜視図である。
【図１１】図１１は、内部が見えるようにタンクの一部を取り除いた図９及び図１０の液体フィルタアセンブリを示す別の概略展開斜視図である。
【図１２】図１２は、図１〜図４のアセンブリで使用される支持管及びフィルタ要素を含むモジュールアセンブリの一部を示す横断面図である。
【図１３】図１３は、図５〜図８のアセンブリで使用される支持管及びフィルタ要素を含むモジュールアセンブリの一部を示す横断面図である。
【図１４】図１４は、追加のオプションの構成要素を含む図１〜図４のフィルタアセンブリの一部を示す概略展開斜視図である。
【図１５】図１５は、実施形態と共に使用可能な支持管の底端部の一部を示す斜視図である。
【図１６】図１６は、組み立て後のフィルタ要素の端部を示す図１５の支持管の底端部の概略横断面図である。
【図１７】図１７は、図２０の線１７−１７に沿ったフィルタアセンブリの別の実施形態を示す部分横断面図である。
【図１８】図１８は、図１７の断面Ａ−Ａを示す拡大図である。
【図１９】図１９は、図１７の断面Ｂ−Ｂを示す拡大図である。
【図２０】図２０は、図１７の端面図である。
【図２１】図２１は、図２２の線２１−２１に沿った図１７のフィルタアセンブリのフィルタ要素を示す横断面図である。
【図２２】図２２は、図２１のフィルタ要素を示す端面図である。
【図２３】図２３は、本発明の原理に従って構成された液体フィルタアセンブリの一部を示す斜視横断面図である。
【図２４】図２４は、図２３のアセンブリで利用される付勢部材を示す斜視図である。
【図２５】図２５は、図２３のアセンブリで利用される交換可能フィルタ要素を示す斜視図である。
【図２６】図２６は、図２３のフィルタ要素及び支持管の一部を示す横断面図である。
【図２７】図２７は、図２３のアセンブリで利用される支持管の一部を示す斜視横断面図である。
【発明を実施するための形態】
【００９５】
従来の技術を改善するための液体フィルタアセンブリで有用である構成要素の実施形態を説明する。同様の部分は、同一の図中符号により適宜示される。
【００９６】
図１及び図５には、液体フィルタアセンブリが全体として１０で示される。液体フィルタアセンブリ１０は作動油を含む油などの流体を濾過するのに有用である。フィルタアセンブリ１０は他の液体の濾過にも同様に使用可能である。
【００９７】
液体フィルタアセンブリ１０はハウジング構造１２を含む。ハウジング構造１２はハウジング１４を含む。ハウジング１４は周囲壁１６を含むことができる。周囲壁１６は、その内部にハウジング内部空間１８を規定する。
【００９８】
ハウジング構造１２は入口２０を含む。入口２０は未濾過油のような未濾過液体などの未濾過流体を搬送するためのものである。
【００９９】
ハウジング１２は出口２２を含むことができる。出口２２は入口２０に流入した流体を搬送するためのものである。一般的には、出口２２を通して搬送される流体は、濾過済み液体である。タンク内システム５（以下に説明される）を含むいくつかのシステムでは、ハウジング周囲壁１４は、出口２２を提供するために底部１５で開いているだけであることが可能である（図９を参照）。
【０１００】
いくつかのアセンブリ１０では、ハウジング構造１２は閉鎖された底部を有することができる（図示せず）。
【０１０１】
図９〜図１１に示される一般的な種類の濾過システムの１つは、タンク内システム５と呼ばれる場合もある。タンク内フィルタシステムは、例えば２００５年７月１４日公開の国際公開第ＷＯ２００５／０６３３５８号及び２００８年３月１３日公開の国際公開第ＷＯ２００８／０３０３２３号に記載される。これら２つの国際公開は、それぞれ参考として本明細書に取り入れられている。
【０１０２】
一般的に言えば、タンク内フィルタシステム５は、関連する液体の貯蔵タンク１９０に取り付けられるように構成されたシステムである。システム５は、一般的には、タンクに液体を流すか又はタンクから液体を取り出すかの少なくとも一方を備える。一般的には、タンク内フィルタアセンブリ５は、その内部に適切に配置された取り外し可能な、すなわち保守可能なフィルタ要素４０を有するハウジング構造１２を含む。フィルタ要素４０は、保守のために定期的に、例えばフィルタ媒体を横切る制限が望ましくないレベルに達するほどフィルタ要素４０が目詰まりした場合又は保守間隔が経過した場合に取り外される。保守は、通常、新たなフィルタ要素４０と交換すること、先に使用されていたフィルタ要素４０を再生したうえで交換すること、又は取り外した要素４０を何らかの方法で洗浄し、再度使用するために交換することのうち１つを含む。
【０１０３】
本明細書において説明されるフィルタアセンブリ１０は、タンク内フィルタシステム５の一部であるのが好ましい。いくつかの実現形態では、フィルタアセンブリは別の構造の一部であってもよい。
【０１０４】
ハウジング構造１２は、取り外し可能なカバー２４を更に含むことができる。カバー２４は、適切な締め具２６を介してハウジング１４に固定されることが可能である。このため、カバー２４をハウジング１４から選択的に取り外すことができる。ハウジング１４からカバー２４を取り外すと、ハウジング内部空間１８にアクセスが可能になる。
【０１０５】
ハウジング構造１２がタンク内フィルタシステム５の一部である場合、カバー２４は、タンク１９０の外側にあることが可能である。
【０１０６】
上記の構成とは別に、液体フィルタアセンブリ１０は支持部材２８を含む。支持部材２８は、ハウジング内部空間１８の中で動作可能に配向される。
【０１０７】
支持部材２８は強固であることが可能である。強固であるとは、支持部材２８が可撓性をほぼ持たず、取り扱い中に発生する通常の量の圧縮力に応じて形状を変化させないということを意味する。あるいは、支持部材２８は、ほぼ圧縮可能である一方で、膨張力には耐える薄い（２ｍｍ以下の厚さ）スクリーンであることも可能である。
【０１０８】
支持部材２８は多孔質であることが可能である。支持部材２８が多孔質の性質を有することにより、液体は支持部材２８を通って流れることができる。
【０１０９】
支持部材２８は管状の形であることが可能である。支持部材２８は、支持部材壁３０の中に内部容積３２を規定する周囲壁３０を有することができる。
【０１１０】
支持部材２８は閉鎖底端部３４を有することができる。他の実施形態では、支持部材２８は開放底端部を有することも可能だろう。
【０１１１】
いくつかの実施形態において、支持部材２８は円筒形状であることが可能である。
【０１１２】
上記の構成とは別に、液体フィルタアセンブリ１０はフィルタ要素４０を含むことができる。フィルタ要素４０は、ハウジング構造１２に対して、ハウジング入口２０から未濾過液体を受け入れ、液体を濾過し、次に、出口２２を通して濾過済み液体をハウジング構造１２の外へ流出させるように配置されることが可能である。
【０１１３】
フィルタ要素４０は、ハウジング内部空間１８の中で取り外し可能且つ交換可能に配向されることが可能である。
【０１１４】
上記の構成とは別に、フィルタ要素４０は、支持部材２８の内部容積３２の中で取り外し可能且つ交換可能に配向されることが可能である。図２及び図６において、フィルタ要素４０は、支持部材２８の内部容積３２の中で組み立てられていることがわかる。
【０１１５】
支持部材２８及びフィルタ要素４０は、一体となってモジュールアセンブリ３６を形成してもよい（図１１〜図１３）。
【０１１６】
モジュールアセンブリ３６はタンク１９０内で使用可能であり、タンク１９０内に分離室が形成される。あるいは、モジュールアセンブリ３６は、タンク最上部に取り付けられるようにフィルタアセンブリを完成するために使用可能である。
【０１１７】
上記の構成とは別に、フィルタ要素４０は媒体パック４２を含むことができる。媒体パック４２はフィルタ媒体４４を含む。液体がフィルタ媒体４４を通過するときに、フィルタ媒体４４は液体から塵芥及び微粒子を取り除く。
【０１１８】
媒体パック４２は管状媒体パック４６であることが可能である。管状媒体パック４６は管状媒体パック４６の中に媒体内部空間４８を規定する。
【０１１９】
いくつかの実施形態において、媒体内部空間４８は上流側にあり、未濾過液体容積５０を含むことが可能である。
【０１２０】
上記の構成とは別に、媒体パック４２は第１の端部キャップ５２に固定されることが可能である。第１の端部キャップ５２は、開放した端部キャップ又は閉じた端部キャップであることが可能である。図に示される実施例では、第１の端部キャップ５２は閉じた端部キャップ５４である。
【０１２１】
第１の端部キャップ５２は、支持部材２８の底端部３４に隣接していることが可能である。図示される実施形態では、第１の端部キャップ５２は、閉鎖底端部３４に隣接し且つ当接していることが可能である。
【０１２２】
上記の構成とは別に、媒体パック４２は第２の端部キャップ５６に固定されることが可能である。第２の端部キャップ５６は、第１の端部キャップ５２とは反対側の要素４０の端部にあることが可能である。
【０１２３】
第２の端部キャップ５６は開放した端部キャップ５８であることが可能である。
【０１２４】
開放した端部キャップ５８は、媒体内部空間４８に対するアクセスを可能にする開口部６０を規定する。
【０１２５】
上記の構成とは別に、フィルタ要素４０はシール部材６２を含む。シール部材６２は、未濾過液体が媒体パック４２を迂回するのを阻止するために液体フィルタアセンブリの別の構成要素でシールを形成するのに有用である。
【０１２６】
実施形態において、フィルタ要素のシール部材６２は、Ｏリングシール部材６４の形であることが可能である。リップシール、バルブシール又は平形ガスケットなどの、代替シールが使用されてもよい。
【０１２７】
シール部材６２は、開放した端部キャップ５８により保持されることが可能である。シール部材６２がＯリングシール部材６４である場合、開放した端部キャップ５８は半径方向溝６６を含むことができる。
【０１２８】
いくつかの実施形態において、半径方向溝６６は外側に向いていることが可能である。Ｏリングシール部材６４は、液体フィルタアセンブリ１０の中の別の構成要素でシールを形成するために半径方向溝６６により保持されることが可能である。シールは半径方向シールであることが可能である。いくつかの構成において、シールは、軸方向シールを形成するように部分的又は全体的に配置される。
【０１２９】
上記の構成とは別に、媒体パック４２は襞付き媒体を備えることができる。例えば、媒体パック４２は襞付きセルロース媒体を備えることができる。いくつかの構成において、媒体に襞は形成されない。
【０１３０】
上記の構成とは別に、媒体パック４２は、閉じた端部キャップ５４と開放した端部キャップ５２との間の全長にわたり延設することが可能である。
【０１３１】
図５〜図８の実施形態において、フィルタ要素シール部材６２は支持部材２８に当接してシール６８を形成する。
【０１３２】
実施形態において、シール６８は、半径方向溝６６と支持部材の壁３０の内面７０（図７）との間にシール部材６２により形成される。
【０１３３】
上記の構成とは別に、いくつかの実施形態のアセンブリ１０において、フィルタ要素４０は、内から外への流れるように配置される。すなわち、いくつかの構成において、フィルタ要素４０は、ハウジング入口２０から媒体内部空間４８の中まで未濾過液体を受け入れるようにハウジング構造１２に対して配置され、媒体内部空間４８は未濾過液体容積５０の一部である。液体は、未濾過液体容積５０から媒体パック４２を通り、次に支持部材２８を通って流れ、支持部材２８は、濾過済み液体容積７２の一部になる。濾過済み液体容積７２は、ハウジング内部空間１８の中で且つ支持部材２８の内部容積３２の外側に位置する容積である。その後、液体は濾過済み液体容積７２からハウジング出口２２を通って流れる。
【０１３４】
媒体パック４２を横切る制限が所定のレベルに達した場合を考慮するために、フィルタアセンブリ１０はバイパス弁構造７４を有する。バイパス弁構造７４は、少なくとも一部の未濾過液体に媒体パック４２を迂回させ、支持部材２８の外側の濾過済み液体容積７２の中にその未濾過液体を流入させる。
【０１３５】
モジュールアセンブリ３６は、その一部として、バイパス弁構造を含むことができる。従って、いくつかの例示的な実現形態において、モジュールアセンブリ３６は、支持部材３６、フィルタ要素４０及びバイパス弁構造７４を含むことができる。
【０１３６】
上記の構成とは別に、バイパス弁構造７４は付勢部材座８０を含むことができる。
【０１３７】
付勢部材８２は付勢部材座８０により動作可能に保持される。
【０１３８】
実施形態において、付勢部材８２はばね８４の形をとることが可能である。
【０１３９】
図１〜図４の実施形態において、付勢部材座８０は支持部材２８に装着されることが可能である。
【０１４０】
図１〜図４に示される実施形態を参照すると、付勢部材座８０は管８６として具現化されることが可能である。管８６は、フィルタ要素４０の少なくとも一部を取り囲み且つ半径方向に離間して配置されることが可能である。管８６は、通常円形又は楕円形の横断面を有するが、他の形状も可能である。
【０１４１】
図３において、この実施形態では、管８６は開放端部８８及び反対側の装着端部９０を含む。
【０１４２】
装着端部９０は半径方向内側へ延出するリム９２を含むことができる。支持部材２８は、外側へ延出するリム９４を有し、このリム９４は支持部材の壁３０に対してほぼ垂直である。支持部材のリム９４は管のリム９２の内面と重なり合う。
【０１４３】
上記の構成とは別に、支持部材２８と管８６との間にシール部材９６があることが可能である。図３に示される実施形態では、シール部材９６は支持部材のリム９４と管のリム９２との間にある。このシール部材９６は管８６と支持部材２８との間にシールを形成する。いくつかの実施形態において、管８６は、支持部材２８の一体的な一部であるか、あるいは例えば溶接又は接着剤により支持部材２８に永久的に固定され、シール部材９６は不要である。
【０１４４】
図５〜図８の実施形態において、付勢部材座８０はハウジング構造１２に装着される。
【０１４５】
上記の構成とは別に、図５〜図８の実施形態において、付勢部材座８０は外側管９８を含む。外側管９８は、以下に更に説明される弁頭１２６の少なくとも一部を取り囲み且つ半径方向に離間して配置される。
【０１４６】
更に図７を参照すると、付勢部材座８０は内側管１００を含む。内側管１００は、付勢部材８２を内側管１００と外側管９８との間に保持するために、外側管９８の少なくとも一部から半径方向に離間して配置される。
【０１４７】
上記の構成とは別に、図７に示される実施形態において、外側管９８は自由端部１０４を有する直線状壁部分１０２を含む。自由端部１０４とは反対側の外側管９８の部分に、半径方向外側へ突出する突起１０６がある。半径方向外側へ突出する突起１０６は、ハウジングの周囲壁１６の内側へ延出する棚状部分１０８と係合する。
【０１４８】
更に図７を参照すると、直線状壁部分１０２に沿って且つ突起１０６に隣接するシール部材座１１０がある。シール部材座１１０はシール部材１１２を保持する。シール部材１１２はハウジング周囲壁１６の内面１１４でシールを形成する。
【０１４９】
上記の構成とは別に、更に図７を参照すると、半径方向突起１０６に隣接して軸方向突起１１６がある。図示される実施形態において、軸方向突起１１６は自由端部１０４とは反対の側の端部を形成する。
【０１５０】
更に図７を参照すると、上記の構成とは別に、内側管１００は管固定部分１１８を含むことができる。管固定部分１１８は外側管９８に固定又は固着される。
【０１５１】
図７に示される実施形態において、管固定部分１１８は外側管９８の軸方向突起１１６に固定される。
【０１５２】
上記の構成とは別に、内側管１００は、管固定部分１１８から半径方向内側にある内側管部分１２０を含む。内側管部分１２０は、外側管９８の直線状壁部分１０２から半径方向に離間して配置される。
【０１５３】
更に図７及び図８を参照すると、上記の構成とは別に、内側管部分１２０は部分１２０の外側に沿って密封面１２２を有する。密封面１２２は、以下に更に説明されるように、シールを形成するための面を提供する。いくつかの実施形態において、密封面１２２は部分１２０の内側にある。
【０１５４】
上記の構成とは別に、バイパス弁構造７４は弁頭１２６を含む。
【０１５５】
弁頭１２６は付勢部材座８０の中に配置されることが可能である。
【０１５６】
上記の構成とは別に、弁頭１２６は付勢部材８２と係合することができる。
【０１５７】
上記の構成とは別に、バイパス弁構造７４は弁座１２８を含むことができる。弁座１２８は弁頭１２６と離脱可能に密封係合している。
【０１５８】
実施形態において、弁頭１２６が弁座１２８との密封係合を解除するように動かされた場合に、バイパス開口部１３０（図４及び図８）は、未濾過液体を濾過済み液体容積７２の中に流入させる。弁頭１２６が弁座１２８と密封係合している場合に、バイパス開口部１３０は閉鎖されて、未濾過液体が媒体パック４２を迂回するのを阻止する。
【０１５９】
図１〜図４の実施形態、特に図３を参照すると、弁頭１２６は密封面１３２を含むことができる。フィルタ要素のシール部材６２は密封面１３２に当接して密封される。
【０１６０】
上記の構成とは別に、図４及び図８において、弁頭１２６は、段付きリング１３８を形成するために段１３６を有するリング１３４として具現化されてもよい。
【０１６１】
いくつかの実施形態において、弁頭１２６が段付きリング１３８を含む場合、段付きリング１３８は、軸方向端部１４０（図３、図４、図７、図８）を有することができる。軸方向端部１４０は弁頭１２６と密封係合していることが可能である。
【０１６２】
上記の構成とは別に、図３、図４、図７、図８を参照すると、弁座１２８により動作可能に保持されたバイパス弁シール部材１４２が設けられることが可能である。バイパス開口部１３０が閉鎖された場合に、弁頭１２６の軸方向端部１４０は、バイパスシール部材１４２と密封係合していることが可能である。バイパス開口部１３０が開放された場合に、軸方向端部１４０はバイパスシール部材１４２から離間されることが可能である。
【０１６３】
上記の構成とは別に、付勢部材８２はリング１３４の段１３６と係合することができる。付勢部材８２は、未濾過液体容積５０の中の流体圧力に耐えるための力を段１３６に与えることができる。未濾過液体容積５０の中の圧力が付勢部材８２の力に勝るほど大きな力を段１３６に対して加えるようになった場合に、流体圧力は段１３６を押し出し、付勢部材８２に抗して弁頭１２６を動かす。その結果、リング１３４の軸方向端部１４０は、バイパス弁シール部材１４２との密封係合を解除するように動かされる。これにより、バイパス開口部１３０は開放される（図４及び図８を参照）。
【０１６４】
図１〜図４の実施形態において、特に図３及び図４を参照すると、弁頭１２６が弁座１２８から離間されるにつれて、フィルタ要素のシール部材６２は、弁頭１２６の密封面１３２に沿って動き且つ当接しながら摺動する。
【０１６５】
シール部材６２は弁頭１２６の密封面１３２でシール６８を形成する。
【０１６６】
上記の構成とは別に、弁頭１２６が密封係合するように動き、密封係合を解除するように動く間、ダイナミックシールは係合する。１つ以上の実施形態において、シール部材６２は、シール６８をダイナミックシールとして形成するように構成される。ダイナミックシール６８は、密封面１３２に沿って且つ当接しながら摺動するにつれて繰り返し位置を変えるように構成される。
【０１６７】
シール部材６２がＯリング６４として具現化された実施形態では、シール部材６２は、シール６８をダイナミックシールとして形成するように構成され、ダイナミックシールは、密封面１３２に沿って且つ当接しながら摺動するにつれて繰り返し位置を変えるように構成される。
【０１６８】
上記の構成とは別に、更に図１〜図４の実施形態を参照すると、付勢部材座８０の管８６は、弁頭１２６の一部から半径方向に離間して配置されていることがわかる（図３）。付勢部材８２は、付勢部材８２がリング１３４の段１３６と係合した状態で、管８６の内面とリング１３４の外面との間に配置される。
【０１６９】
更に図１〜図４を参照すると、上記の構成とは別に、リング１３４は、軸方向端部１４０とは反対の側に第２の軸方向端部１４４（図３）を有する。支持部材のリム９４は、管のリム９２と係合した場合に、弁頭１２６がその位置を越えて動くのを阻止するために係合して制止面を第２の軸方向端部１４４に対して形成する。
【０１７０】
上記の構成とは別に、次に図５〜図８の実施形態、特に図７及び図８を参照すると、段付きリング１３８は内面１４６を有する。内面１４６は付勢部材座８０の内側管１００と密封係合している。
【０１７１】
図７及び図８に示される実施形態では、段付きリング１３８の内面１４６は内側管部分１２０の密封面１２２と密封係合している。
【０１７２】
上記の構成とは別に、更に図７及び図８を参照すると、段付きリング１３８は、リング１３４の軸方向端部１４０とは反対の側の端部にある部分に又はその部分に隣接してシールリング溝１４８を含むことができる。シールリング溝１４８は、Ｏリングシール部材１５０などのシール部材を保持することができる。シール部材１５０は、付勢部材座８０の内側管１００の密封面１２２でシールを形成することができる。
【０１７３】
更に図７及び図８を参照すると、上記の構成とは別に、付勢部材８２は、付勢部材座８０により外側管９８の直線状壁部分１０２と弁頭１２６との間に保持される。
【０１７４】
図７に示される実施形態において、付勢部材８２は、外側管９８の直線状壁部分１０２とリング１３４との間にある。付勢部材８２は段１３６と係合し、段１３６と内側管１００の一部であることが可能な肩部分１５２との間に保持される。肩部分１５２は、管固定部分１１８と内側管部分１２０との間に延設されることが可能である。
【０１７５】
上記の構成とは別に、図７及び図８の実施形態を参照すると、付勢部材８２は、未濾過液体容積５０の中の流体圧力により段１３６の反対側に加えられる力に抗して、段１３６に力を加える。例えば媒体パック４２を横切る制限の増加によって未濾過液体容積５０の中の圧力が上昇した場合に、段１３６に対する力は付勢部材８２の力より強くなる。これにより、弁頭１２６が動かされるので、シール部材１５０は、付勢部材座８０の内側管１００に沿って且つ当接しながら摺動する。弁頭１２６は軸方向に動くので、リング１３４の軸方向端部１４０はバイパス弁シール部材１４２から離間するように動かされ、その結果、バイパス開口部１３０が開放される（図８）。
【０１７６】
上記の構成とは別に、弁頭１２６が密封係合するように動き、また、密封係合を解除するように動く間、ダイナミックシールは係合する。１つ以上の実施形態において、シール部材１５０は、付勢部材座８０の内側管１００に沿って且つ当接しながら摺動するにつれて繰り返し位置を変えるように構成されたダイナミックシールを形成するように構成される。
【０１７７】
シール部材１５０がＯリングシール部材として具現化された実施形態において、シール部材１５０は、付勢部材座８０の内側管１００に沿って且つ当接しながら摺動するにつれて繰り返し位置を変えるように構成されたダイナミックシールを形成するように構成されることが可能である。例えば、段付きリング１３４の内面と付勢部材座８０の内側管１００との密封係合は、動的密封係合である。
【０１７８】
上記の構成とは別に、図１〜図４の実施形態を参照すると、弁座１２８はハウジング構造１２に固定されることが可能である。
【０１７９】
図３の非限定的な実施形態において、弁座１２８は半径方向突起１５６を含むことができる。半径方向突起１５６は、ハウジング周囲壁１６の内側へ延出する棚状部分１０８と係合する。この係合は、ハウジング構造１２に対して弁座１２６を所定の場所に保持するのを助けることができる。他の実施形態も可能である。
【０１８０】
上記の構成とは別に、更に図３を参照すると、弁座１２８はシール部材保持部分１５８を含むことができる。シール部材保持部分１５８はシール部材１６２を保持する溝１６０を含むことができる。シール部材１６２はハウジング周囲壁１６の内面１１４に当接してシール１６３（図４）を形成する。
【０１８１】
上記の構成とは別に、図４に示される実施形態において、シール部材１６２とハウジング周囲壁１６との間のシール１６３は、棚状部分１０８の半径方向内側に延出する部分１６４に沿って形成される。
【０１８２】
上記の構成とは別に、更に図３を参照すると、半径方向突起１５６に隣接して、弁座１２８に軸方向突起１６６を設けることが可能である。軸方向突起１６６は、シール部材保持部分１５８を形成する端部とは反対の側の弁座１２８の一端部も形成することもできる。
【０１８３】
上記の構成とは別に、更に図３を参照すると、弁座１２８はシール部材座１６８を含むことができる。シール部材座１６８はバイパス弁シール部材１４２を保持できる。図３及び図４に示される実施形態では、シール部材座１６８はシール部材保持部分１５８に隣接している。
【０１８４】
図３に示される実施形態において、シール部材座１６８は、シール部材１６２とは反対の側のシール部材保持部分１５８にある。
【０１８５】
上記の構成とは別に、図３に示される非限定的な実施形態において、弁座１２８は内側リング１７０を含むことができる。内側リング１７０は、シール部材保持部分１５８から半径方向に離間して配置されて、その間にシール部材座１６８を規定する。
【０１８６】
図３に示される実施形態において、バイパス弁シール部材１４２は、内側リング１７０とシール部材保持部分１５８との間のシール部材座１６８に保持される。
【０１８７】
上記の構成とは別に、図３の実施形態を参照すると、内側リング１７０は、リング１７０を軸方向突起１６６に固定することにより、弁座１２８の残る部分に固定されることが可能である。これには多くの変形が存在しうる。
【０１８８】
そこで図７及び図８の実施形態を参照すると、上記の構成とは別に、この実施形態の弁座１２８は支持部材２８に固定されることが可能である。
【０１８９】
上記の構成とは別に、図７及び図８の実施形態において、弁座１２８は帯部分１７２を含むことができる。
【０１９０】
図７及び図８に示される非限定的な実施形態において、帯部分１７２は支持部材２８の少なくとも一部を取り囲む。
【０１９１】
上記の構成とは別に、更に図７を参照すると、帯部分１７２は軸方向に延出する壁１７４を含むことができる。内側へ突出するリム１７６が壁１７４から内側へ延出している。
【０１９２】
上記の構成とは別に、図７に示される実施形態において、壁１７４及びリム１７６は肩部分１７８を形成する。肩部分１７８は、バイパス弁シール部材１４２を保持するために使用されることが可能である。
【０１９３】
上記の構成とは別に、図７を参照すると、支持部材リム９４はリム１７６と重なり合うことができる。シール部材１８０は、支持部材リム９４とリム１７６との間にあって、その間にシールを形成できる。
【０１９４】
上記の構成とは別に、液体フィルタアセンブリ１０は、オプションの磁石ホルダ２００（図１４）を含むことができる。磁石ホルダ２００は、図１〜図４のアセンブリと共に使用されるように示されるが、任意に図５〜図８のアセンブリと共に使用されることも可能であることを理解すべきである。
【０１９５】
入口２０からアセンブリ１０に入った液体が磁石ホルダ２０を通って流れるように、磁石ホルダ２００は、未濾過液体容積５０（図１）の中で配向されるように構成されてもよい。磁石ホルダ２００は、流入する液体から金属粒子を引き寄せる磁石構造２０２を保持することができる。
【０１９６】
磁石ホルダ２００は、肩部分１５２に載置される外側リング２０４を含むことができる。ガセット２０６は、外側リング２０４を磁石ホルダ２００の本体２０８に接合することができる。本体２０８は、磁石構造２０２を保持するために使用されることが可能である。
【０１９７】
上記の構成とは別に、液体フィルタアセンブリ１０は、オプションのバイパススクリーン２１０を含むことができる。バイパススクリーン２１０は、図１〜図４のアセンブリと共に使用されるように示されるが、任意に図５〜図８のアセンブリと共に使用されることも可能であることを理解すべきである。スクリーン２１０は、磁石ホルダ２００と共に使用されるように示されるが、磁石ホルダ２００なしでも使用可能であることを理解すべきである。
【０１９８】
バイパススクリーン２１０は、バイパス開口部１３０が開放されている状況（図４及び図８）で、スクリーンの目の大きさより大きい少なくとも一部の塵芥を除去するために粗フィルタ２１２として作用する。バイパス流れは、濾過済み液体容積７２（図１）に到達する前に必ずバイパススクリーン２１０を通って流れる。
【０１９９】
図１４に示される実施形態において、バイパススクリーン２１０は、半径方向に延出するリング２１４を含む。リング２１４は肩部分１５２の上に位置決め可能である。
【０２００】
磁石ホルダ２００及びバイパススクリーン２１０を共に使用するいくつかの実施形態において、リング２１４は、肩部分１５２と磁石ホルダ２００の外側リング２０４との間にあり且つ当接していることが可能である。
【０２０１】
上記の構成とは別に、図１５及び図１６を参照すると、支持部材２８は、閉鎖底端部３４に沿って膨出部２１８を含むことができる。
【０２０２】
膨出部２１８は、支持部材２８を補強するのを助けることができる。膨出部２１８がない場合、支持部材壁３０は、膨出部２１８を有する構造の場合の支持部材壁より分厚くなければならない。
【０２０３】
膨出部２１８は、支持部材２８に組み込むのに適正なフィルタ要素４０を識別するのに有用であるといえる。支持部材２８に合う正しいフィルタ要素４０は、閉じた端部キャップ５４の一部として端部キャップ膨出部２２０を含むことができる。端部キャップ膨出部２２０は、支持部材膨出部２１８の内面に当接して嵌合することができる。
【０２０４】
図１６は、端部キャップ５４に加えられる圧力を矢印２２２の形で示す。端部キャップ膨出部２２０は、この圧力２２２に関してフィルタ要素４０を補強するのに有用であるといえる。
【０２０５】
支持部材２８及び端部キャップ５４の一部として使用可能な膨出部の更なる実施形態は、図２３及び図２５〜図２７に示される。
【０２０６】
図２３は、液体フィルタアセンブリ１０を示す。フィルタアセンブリ１０は、膨出閉じた端部キャップ４０２を有するフィルタ要素４０を含む。図２３のアセンブリ１０は、図１〜図４の構造に類似している。しかし、膨出閉じた端部キャップ４０２を有する要素４０は図５〜図８のアセンブリの一部であることも可能だろうということを理解すべきである。
【０２０７】
図２３において、フィルタ要素４０は、媒体内部空間４８を規定する管状媒体パック４６を含む。媒体パック４６は、両側に第１の端部４０４（図２５）及び第２の端部４０６を有する。開放した端部キャップ５８（図２５）は、第１の端部４０４で又はその付近で媒体パック４６に固定される。
【０２０８】
膨出閉じた端部キャップ４０２は、第２の端部４０６で又はその付近で媒体パック４６に固定される。
【０２０９】
そこで図２５を参照すると、膨出閉じた端部キャップ４０２は外側部分４０８を含む。外側部分４０８は、フィルタ要素４０の残る部分とは反対の側を向いている。外側部分４０８は媒体内部空間４８と連通していない。
【０２１０】
外側部分４０８の反対側の部分に、閉じた端部キャップ４０２は内側部分４１０を有する。内側部分４１０は媒体内部空間４８と連通している。
【０２１１】
外側部分４０８は膨出部４１２を規定する。膨出部４１２はフィルタ要素４０の残る部分から延出する。膨出部４１２は媒体パック４６の第２の端部４０６を越えて延出する。
【０２１２】
膨出部４１２はフィルタ要素４０の残る部分から延出して、外向き膨出部となるように示されているが、膨出部は内側へ延出し、媒体内部空間４８の中を向くことも可能だろうということを理解すべきである。
【０２１３】
本実施形態において、閉じた端部キャップ４０２の内側部分４１０は凹形の容器４１４を規定する。凹形の容器４１４は利点を提供する。フィルタ要素４０が未濾過液体を最初に媒体内部空間４８に流入させ、次に媒体パック４６を通して半径方向外側へ流す「内から外」流れフィルタとして動作される場合、容器４１４は、媒体４０を通過できない微粒子を受け入れるための容器として作用することができる。容器４１４は媒体４０を越えた位置にあり、図２５に示される実施形態では、媒体４６の第２の端部４０６の下方にあるので、容器４１４に入った微粒子物質が媒体４６を閉塞又は遮蔽することはない。
【０２１４】
閉じた端部キャップ４０２の内側部分４１０は、粒子を受け入れるための容器４１４を形成するように構成される一方で、膨出部４１２を補強するための構造を含むことができる。図２５及び図２６に示される実施形態において、閉じた端部キャップ４０２の内側部分４１０は複数の離間したリブ４１６を含む。この実施形態では、リブ４１６は、閉じた端部キャップ４０２の中心４１８からリム４２０に向かって半径方向に延設される。この非限定的な実施形態において、リム４２０は内側媒体パック４６により取り囲まれる。
【０２１５】
この非限定的な実施形態において、閉じた端部キャップ４０２の内側部分４１０は、複数のガセット４２２を含んでもよい。ガセット４２２は、内側部分４１０の周囲に沿って延設されることが可能である。図示される実施形態では、ガセット４２２はリブ４１６の間に延設される。多くの変形が可能である。
【０２１６】
図１の実施形態と同様に、フィルタ要素４０を支持部材２８から取り外すことを含めて、フィルタ要素４０は、アセンブリ１０から取り外され、交換されることが可能である。図２７は、図２３のアセンブリで利用される支持管２８の底部領域の斜視横断面図を示す。支持部材２８は、閉鎖底端部３４（図１）に沿って膨出部２１８を有する。前述のように、膨出部２１８は、支持部材２８を補強するのを助ける。容器４１４を微粒子又は塵芥を回収するために使用できるように、膨出部２１８は膨出閉じた端部キャップ４０２を支持し、補強するのを更に助ける。
【０２１７】
再び図２３を参照すると、フィルタアセンブリ１０は付勢部材８２を有する。この特定の実施形態において、付勢部材８２はウェーブスプリング４３０（図２３及び図２４）を含む。ウェーブスプリング４３０は、先に説明したコイルばね８４の代わりに使用可能である。ウェーブスプリング４３０は、ワイヤスプリングと比較して、ばね力の精度を向上させることができる。更に、ウェーブスプリング４３０は、ワイヤスプリングと比較して、所定の領域の剛性を増加させることができる。
【０２１８】
ウェーブスプリング４３０は図２３のアセンブリ１０と共に使用されるように示されているが、ウェーブスプリング４３０は、先に説明したどの実施形態においても付勢部材８２として使用可能であることを理解すべきである。
【０２１９】
上記の実施形態から、液体フィルタアセンブリ１０の動作は明らかなはずである。未濾過液体は、ハウジング入口２０の中へ誘導されて、媒体内部空間４８に入る。そこで、未濾過液体は未濾過液体容積５０の一部になる。
【０２２０】
方法は、未濾過液体が媒体パック４２を通り、次に支持部材２８を通って濾過済み液体容積７２まで流れるように未濾過液体を誘導することにより、未濾過液体を濾過することを含むことができる。濾過済み液体容積７２は、支持部材２８の内部容積３２の外側にある。液体は、濾過済み液体容積７２からハウジング出口２２を通って誘導される。
【０２２１】
上記の構成とは別に、媒体パック４２を横切る制限が所定のレベルに達した場合に、方法は、少なくとも一部の未濾過液体に媒体パック４２を迂回させ、支持部材２８の外側の濾過済み液体容積７２にその未濾過液体を流入させるようにバイパス弁構造７４を開放することを含むことができる。
【０２２２】
方法において、上記の構成とは別に、バイパス弁構造７４は、付勢部材座８０、付勢部材座８０により動作可能に保持される付勢部材８２、付勢部材座８０の中にあり、付勢部材８２と係合する弁頭１２６、及び弁座１２８を含むことができる。媒体パック４２を横切る制限が所定のレベルに達した場合に、弁頭１２６が弁座１２８との密封係合を解除するように動かされ、バイパス開口部１３０を開放して、未濾過液体を濾過済み液体容積７２の中に流入させるように、弁座１２８は弁頭１２６と離脱可能に密封係合している。
【０２２３】
上記の構成とは別に、方法において、付勢部材座８０は支持部材２８に装着されることが可能である。
【０２２４】
上記の構成とは別に、付勢部材座８０はハウジング構造１２に装着されることが可能である。
【０２２５】
上記の構成とは別に、弁頭１２６は密封面１３２を含むことができる。フィルタ要素シール部材６２は密封面１３２に当接して密封されることが可能である。
【０２２６】
上記の構成とは別に、方法は弁座１２８が支持部材２８に固定されることを含むことができる。
【０２２７】
上記の構成とは別に、弁座１２８はハウジング構造１２に固定されることが可能である。
【０２２８】
上記の構成とは別に、方法は、フィルタ要素４０が支持部材２８に当接してシール６８を形成するシール部材６２を有することを含むことができる。
【０２２９】
図１７〜図２２は、別の実施形態を示す。図１７には、フィルタアセンブリ３００が部分横断面図で示される。フィルタアセンブリ３００は多様な実現形態で使用されてよい。非限定的な一実施形態において、フィルタアセンブリ３００は作動流体系統の戻り管路で使用可能である。
【０２３０】
フィルタアセンブリ３００はフィルタカートリッジ３０２を含む。フィルタカートリッジ３０２はフィルタ媒体３０４を含むことができる。使用可能なフィルタ媒体３０４の種類の一例は、管３０８を形成する襞付き媒体３０６（図２１及び図２２）である。管３０８は楕円形又は円形の横断面を有することができる。図２２に示される実施形態では、管の断面は円形である。
【０２３１】
フィルタカートリッジ３０２は、外側ライナ３１０の中に受け入れられる。外側ライナ３１０は再利用可能である。再利用可能であるとは、フィルタカートリッジ３０２を交換する場合に、外側ライナ３１０は交換されず、交換用フィルタカートリッジ３０２と共に再び使用されるという意味である。
【０２３２】
外側ライナ３１０には多くの異なる材料を使用できる。非限定的な一実施形態において、外側ライナ３１０は金属製である。
【０２３３】
フィルタカートリッジ３０２及びライナ３１０は互いに固定されることが可能である。図示される非限定的な実施形態では、フィルタカートリッジ３０２及びライナ３１０は、端部材３１２によって互いに固定される。
【０２３４】
端部材３１２は多くの種類の構成を有することができる。図示される非限定的な実施形態では、端部材３１２は、フィルタカートリッジ３０２の第１の端部３１６にある開放スパイダ鋳造部材３１４である。開放スパイダ鋳造部材３１４により、未濾過流体はフィルタ媒体３０４の管３０８の内部容積３１７の中に流入することができる。
【０２３５】
図示される非限定的な実施形態において、カートリッジ３０２の第１の端部３１６とは反対の側の第２の端部３１８に、閉鎖端部鋳造部材３２０がある。閉鎖端部鋳造部材３２０は、流体がカートリッジ３０２の第２の端部３１８を通過するのを阻止する。
【０２３６】
フィルタカートリッジ３０２の第１の端部３１６は、第１の端部キャップ３２１に密封されるか又は他の方法により固定されたフィルタ媒体３０４を含む。媒体３０４は、ウレタン又は他の適切な材料によって第１の端部キャップ３２１の中に植え込まれることが可能である。第１の端部キャップ３２１は、金属又は非金属を含む多様な材料であることが可能である。図示される非限定的な実施形態において、第１の端部キャップ３２１は金属である。
【０２３７】
フィルタカートリッジ３０２の第２の端部３１８は、第２の端部キャップ３２２に密封されるか又はその他の方法により固定されたフィルタ媒体３０４を含む。媒体３０４は、ウレタン又は他の適切な材料によって第２の端部キャップ３２２の中に植え込まれることが可能である。第２の端部キャップ３２２は、金属又は非金属を含む多様な材料であることが可能である。図示される非限定的な実施形態において、第２の端部キャップ３２２は金属である。図１８を参照。
【０２３８】
組み立てられた場合に、フィルタカートリッジの第１の端部キャップ３２１は、外側ライナ３１０に装着された端部材３２６に固定されたグロメット３２４に当接して密封する。
【０２３９】
図示される非限定的な実施形態において、端部材３２６は、本体部分３２８及びそこから延出する１対のアーム３３０、３３２を含むほぼＵ字形の横断面を有する。本体部分３２８は、第１の端部キャップ３２１とほぼ平行であることが可能である。アーム３３０は、外側ライナ３１０に隣接して、同じ方向に（外側ライナ３１０とほぼ平行に）外側ライナ３１０の半径方向外側へ延出する。アーム３３２は、外側ライナ３１０及びアーム３３０とほぼ平行であることが可能であるが、第１の端部キャップ３２１を含むカートリッジ３０２の半径方向内側にあり、カートリッジ３０２から半径方向に離間した位置にある。
【０２４０】
図示される非限定的な実施形態において、グロメット３２４は、アーム３３２の半径方向外側に向いた面３３４と第１の端部キャップ３２１の半径方向内側に向いた面３３６との間にあるように配向された半径方向グロメット部分３２５を有する。
【０２４１】
図示される非限定的な実施形態において、グロメット３２４は、端部材３２６の本体部分３２８と第１の端部キャップ３２１の軸方向部分３３８との間で配向された軸方向グロメット部分３２７を有する。
【０２４２】
端部材３２６の本体部分３２８の外側軸方向面３４０と、開放スパイダ鋳造部材３１４のリム３４４の内側軸方向面３４２との間に、平形ガスケット３４６が位置することができる。
【０２４３】
図示される非限定的な実施形態において、カートリッジ３０２の第２の端部３１８は、閉鎖端部鋳造部材３２０に設けられた金属端部キャップ３５０に当接して密封する。グロメット３５２は、第２の端部キャップ３２２の半径方向内側に向いた面３５４と、端部キャップ３５０の半径方向外側に向いた面３５６との間で配向された半径方向部分３５３を有する。
【０２４４】
図示される非限定的な実施形態において、グロメット３５２は、第２の端部キャップ３２２の外側軸方向面３５８と端部キャップ３５０の内側軸方向面３６０との間で配向された軸方向部分３５５を有する。
【０２４５】
図示される実施形態において、閉鎖端部鋳造部材３２０の端部キャップ３５０は、フィルタ媒体３０４の管３０８の内部容積３１７の中へ突出する内側突起部分３６２を含む。
【０２４６】
フィルタカートリッジ３０２及び鋳造部材３１４、３２０を貫通する支柱３６４が設けられ、フィルタアセンブリを完全に組み立てるために、支柱３６４の両端部でナット及びばね３６６、３６８が使用される。いくつかのオプションの例では、支柱３６４は、内部容積３１７の中に磁石３７０を保持することができる。
【０２４７】
動作中、流体は、開放スパイダ鋳造部材３１４を介してフィルタカートリッジ３０２の内部容積３１７の中に流入し、媒体３０４を通って流れることにより濾過され、その後、フィルタカートリッジ３０２から流出する。
【０２４８】
以上の説明は、本発明の原理の例を表す。それらの原理を適用して、多くの実施形態を形成することができる。
【図１】
0006559651.tif 000002
【図２】
0006559651.tif 000003
【図３】
0006559651.tif 000004
【図４】
0006559651.tif 000005
【図５】
0006559651.tif 000006
【図６】
0006559651.tif 000007
【図７】
0006559651.tif 000008
【図８】
0006559651.tif 000009
【図９】
0006559651.tif 000010
【図１０】
0006559651.tif 000011
【図１１】
0006559651.tif 000012
【図１２】
0006559651.tif 000013
【図１３】
0006559651.tif 000014
【図１４】
0006559651.tif 000015
【図１５】
0006559651.tif 000016
【図１６】
0006559651.tif 000017
【図１７】
0006559651.tif 000018
【図１８】
0006559651.tif 000019
【図１９】
0006559651.tif 000020
【図２０】
0006559651.tif 000021
【図２１】
0006559651.tif 000022
【図２２】
0006559651.tif 000023
【図２３】
0006559651.tif 000024
【図２４】
0006559651.tif 000025
【図２５】
0006559651.tif 000026
【図２６】
0006559651.tif 000027
【図２７】
0006559651.tif 000028